(57)【特許請求の範囲】
【請求項１】
上部構造体の下面に上部柱が設けられるとともに、下部構造体の上面に下部柱が設けられ、これら上部柱と下部柱との間に設けられた免震装置の被覆構造であって、
前記免震装置の外側には、該免震装置を囲むように耐火被覆が設けられ、
前記上部柱と下部柱との間の開口部には、前記免震装置を覆う前記耐火被覆を更に覆うようにパネルが配設され、該パネルは、その上端部がほぼ水平方向の軸線をもって前記上部柱に揺動自在に支持され、かつ常態において付勢部材により前記開口部を閉塞する方向に付勢されていることを特徴とする免震装置の被覆構造。
【請求項２】
請求項１記載の免震装置の被覆構造において、
前記上部柱および下部柱は水平断面が矩形となるように形成されるとともに、各側面をそれぞれ同一平面上に合致させて形成され、
前記パネルは、前記上部柱、下部柱の各側面間に形成される４つの開口部にそれぞれ設けられ、
前記パネルの上端部または前記上部柱側には、これらの間を密閉する第１のガスケットが設けられ、
前記パネルの下端部または前記下部柱側には、これらの間を密閉する第２のガスケットが設けられ、
前記各パネルの側端部には、隣接するパネルとの間を密閉する第３のガスケットが設けられていることを特徴とする免震装置の被覆構造。
【発明の詳細な説明】
【０００１】
【発明の属する技術分野】
この発明は、建築構造物に設けられる免震装置に対して、水滴等の浸入を防止するようにした免震装置の被覆構造に関するものである。
【０００２】
【従来の技術】
従来、地震対策を講じた構造物として、建物全体を基礎から切り放して浮かせた状態にし、建物の下端と基礎との間に、免震体としての積層ゴムを介挿し、建物およびその支持部からなる振動系の固有振動数を小さくした免震構造物が知られている。この構造によれば、積層ゴムの介挿によって建物の固有周期が地震波の卓越周期よりも長くなるので、上部建物に作用する地震力を低減させることができ、建物の安全性を確保することができる。
【０００３】
【発明が解決しようとする課題】
ところで、上記従来の免震装置においては、当該免震装置が外部に露出する構造となっているため、降雨時に水滴が免震装置に付着し、金属部材を腐食させる等の問題があった。
また、近年この種免震装置の設置場所に、免震装置を囲むように耐火被覆体を設けることも行われているが、このような場合には、耐火被覆体に水滴が付着し耐火性能を劣化させる等の問題があった。
【０００４】
この発明は、上記の事情に鑑みてなされたもので、免震装置に対して外部から水滴等が浸入するのを防止するようにした免震装置の被覆装置を提供することを目的とする。
【０００５】
【課題を解決するための手段】
上記課題を解決するために、この発明の免震装置の被覆構造においては、つぎに示すような手段を講じた。
すなわち、請求項１記載の免震装置の被覆構造によれば、上部構造体の下面に上部柱が設けられると共に、下部構造体の上面に下部柱が設けられ、これら上部柱と下部柱との間に設けられた免震装置の被覆構造であって、前記免震装置の外側には、該免震装置を囲むように耐火被覆が設けられ、前記上部柱と下部柱との間の開口部には、前記免震装置を覆う前記耐火被覆を更に覆うようにパネルが配設され、該パネルは、その上端部がほぼ水平方向の軸線をもって前記上部柱に揺動自在に支持され、かつ常態において付勢部材により前記開口部を閉塞する方向に付勢されていることを特徴とする。
この被覆構造では、常態においては、パネルが上部柱と下部柱の間の開口部を閉塞することによって耐火被覆もしくは免震装置側への水滴等の浸入が防止される。
そして、地震等により下部構造体に振動が付与された場合には、この振動が免震装置によって減衰されて上部構造体に伝達される。この際、振動に追従してパネルはほぼ水平方向の軸線を中心として揺動し、これによってパネル自体の破壊が防止される。
【０００６】
請求項２記載の免震装置の被覆構造によれば、請求項１記載の免震装置の被覆構造において、前記上部柱および下部柱は水平断面が矩形とされるとともに、各側面をそれぞれ同一平面上に合致させて形成され、前記パネルは、前記上部柱、下部柱の各側面間に形成される４つの開口部にそれぞれ設けられ、前記パネルの上端部または前記上部柱には、これらの間を密閉する第１のガスケットが設けられ、前記パネルの下端部または前記下部柱には、これらの間を密閉する第２のガスケットが設けられ、前記各パネルの側端部には、隣接するパネルとの間を密閉する第３のガスケットが設けられていることを特徴とする。
この被覆構造においては、各パネルの上下端部側端部部分にそれぞれガスケットが配置されるので、常態においての開口部の密閉が確実になされる。
【０００７】
【発明の実施の形態】
以下、この発明の実施の形態を、図面を参照して説明する。
図５〜図７において、符号１は建築構造物の基礎（下部構造体）、符号２はこの基礎１上に設けられた建築構造物の上部構造体である。
基礎１の上面には、下部柱１Ａが形成されており、上部構造体２の下面には、上部柱２Ａが形成されている。これら下部柱１Ａおよび上部柱２Ａは、それぞれ水平断面が矩形に形成されたものであって、各側面がそれぞれ同一平面上に合致するように形成されている。
【０００８】
下部柱１Ａの上面と上部柱２Ａの下面との間には、免震装置３が介装されている。この免震装置３は、多数のゴム板と鋼板とを交互に水平に積層した積層ゴムと、この積層ゴムの上端部および下端部に設けられた上部支持プレートおよび下部支持プレートとからなるものである。
【０００９】
また、免震装置３の外側には、この免震装置３を囲むように耐火被覆４が設けられている。この場合、下部柱１Ａの上端部と上部柱２Ａの下端部にはそれぞれ段部１Ｂ，２Ｂが形成されており、耐火被覆４は、段部１Ｂの壁面１Ｃと、段部２Ｂの壁面２Ｃとの間の面に固定されている。
【００１０】
さらに、前記下部柱１Ａと上部柱２Ａとの間の開口部には、免震装置３を覆うようにパネル５が配設されている。このパネル５の取付状態の詳細は、図１〜図３に示されている。
前記段部２Ｂの壁面２Ｄには、上枠６が固定されており、前記段部１Ｂの壁面１Ｄには、下枠７が固定されている。
【００１１】
そして、上枠６の下面には、取付金具８が固定されており、この取付金具８の先端には、ヒンジ９を介してパネル５が取り付けられている。
この場合、上枠６と下枠７の間には、下部柱１Ａの側面１Ｅと上部柱２Ａの側面２Ｅとの間において矩形の開口部Ｗが形成されている。
【００１２】
パネル５は、前記矩形の開口部Ｗを閉塞するもので、矩形形状に形成されたものである。
また、パネル５は、矩形のパネル本体５Ａと、該パネル本体５Ａの上端部に後方へ突出するように設けられた上枠壁部５Ｂと、前記パネル本体５Ａの下端部に後方へ突出するように設けられた下枠壁部５Ｃと、前記パネル本体５Ａの側部に設けられた左右の側枠壁部５Ｄとを備えて成るものである。
【００１３】
パネル５の上枠壁部５Ｂは、その垂直断面が矩形に形成されたものであって、この上枠壁部５Ｂのパネル本体５Ａに最も近い場所には、水抜孔５Ｅが形成されている。
また、パネル５の下枠壁部５Ｃは、開口部Ｗの内方から外方へ向けて下方へ下るように傾斜して設けられており、この下枠壁部５Ｃの最下端には、水抜孔５Ｆが形成されている。
【００１４】
そして、前記パネル５は、その上端部に設けられた図示しない取付壁部が、前記ヒンジ９の回動軸９Ａに固定されている。
【００１５】
上枠壁部５Ｂの上面には、ガスケット１０が固定されており、これによって、上枠６とパネル５の上端との間の間隙は、常に閉塞された状態となっている。
下枠７の前面側には、ガスケット１１が設けられており、パネル５の下枠壁部５Ｃとの間の間隙は、これによって常に閉塞された状態となっている。
また、パネル５の側枠壁部５Ｄには、ガスケット１２が設けられており、これによって隣接するパネル５のガスケット１２と常態において接触しており、常にこの間の間隙は閉塞されるようになっている。
【００１６】
この構成のもとに、パネル５は、ヒンジ９のほぼ水平方向の回動軸９Ａを中心として、揺動自在となっている。そして、前記ヒンジ９は付勢部材９Ｂを内蔵しており、これによってパネル５の下端は、常にガスケット１１を介して下枠７との間を密閉する方向に付勢されている。
【００１７】
また、下枠７の上面には、出入り調整部材１３が取り付けられている。この出入り調整部材１３は、出入り調整板１３ａの先端に戸当りゴム１３ｂを設けたもので、出入り調整板１３ａがビス１４によって下枠７に固定されるとともに、そのビス１４の取付位置が矢印Ｘ−Ｙ方向に変更できるようになっていて、その取付位置を変更することによってパネル５の下端のＸ−Ｙ方向の位置が調節できるようになっている。
【００１８】
なお、上記の構成において、パネル５は、材質としてステンレスが好ましく、フッ素樹脂焼付塗装処理を施すことが好ましい。
また、ガスケット１０，１１，１２は、止水効果が良好に得られる関係からネオプレンゴムが好ましい。
【００１９】
つぎに、上記の構成において、免震装置３を含む各部の施工手順について説明する。
図４（Ａ）に示すように、下部柱１Ａを設置したのち、免震装置３を設置してさらにその上部に上部柱２Ａを設ける。
つぎに、図４（Ｂ）に示すように、下部柱１Ａと上部柱２Ａとの間に耐火被覆４を設ける。
そして、図４（Ｃ）に示すように、下部柱１Ａの上面に下枠７、上部柱２Ａの下面に上枠６を固定する。
ついで、図４（Ｄ）に示すように、下枠７にガスケット１１を取り付けたのちに、上枠６にガスケット１０，１２を取り付けたパネル５を上枠６に取り付ける。
これら４枚のものをそれぞれの開口部Ｗに設けることによって、図４（Ｅ）に示すように工事を完了する。
【００２０】
つぎに、上記の構成からなる免震装置３の被覆構造の作用について説明する。パネル５は、常態においては付勢部材９Ｂによって付勢されることにより、パネル５の下端部がガスケット１１を介して下枠７側に付勢されており、パネル５の下端部と下枠７との間の間隙は密閉された状態となっている。したがって、降雨時に下部柱１Ａや上部柱２Ａ付近に水滴が浸入した場合にも、この水滴が耐火被覆４もしくは免震装置３側に浸入することがない。
【００２１】
そして、図４（Ｆ）に示すように、地震等により下部構造体１に振動が与えられた場合、特に水平方向の振動が与えられた場合に、この振動は免震装置３により減衰された状態で上部柱２Ａに伝達され、上部構造体２に伝達される。この際パネル５は、ヒンジ９の回動軸９Ａの軸線を中心として揺動自在であるので、下部柱１Ａの水平方向の移動およびこの下部柱１Ａに対する上部柱２Ａの相対移動に追従して回動軸９Ａの軸線を中心として揺動する。
【００２２】
したがって、このパネル５はこの振動が与えられた際に、破壊されることがない。また、仮にこの内部に水滴等が浸入してしまった場合には、その水分はパネル５の下枠壁部５ｃに形成された水抜孔５Ｆを通じて外方へ排出される。
【００２３】
なお、上記の実施の形態においては、ガスケット１０をパネル５の上枠壁部５Ｂに設け、ガスケット１１を下枠７の前面側に設けられているが、ガスケット１０を段部６Ａの壁面６Ｂに設け、ガスケット１１を下枠壁部５Ｃの垂直壁面５Ｇに設けても良い。
【００２４】
【発明の効果】
この発明によれば、以下の効果が得られる。すなわち、パネルを付勢部材により開口部を常時閉じる方向に付勢しているので、免震装置が置かれている部分を常態において密閉状態に保つことができ、その内部に水滴等が浸入することを確実に防止することができる。
また、上部柱と下部柱が矩形である通常の免震装置が設けられる構造において、４つの開口部をそれぞれパネルで覆うことにより、耐火被覆もしくは免震装置側への水滴の浸入を確実に防止することができる。
【図面の簡単な説明】
【図１】この発明による免震装置の被覆構造を採用した建築構造物の要部の拡大縦断面図である。
【図２】図１のＡ−Ａ線視断面図である。
【図３】図１のＢ−Ｂ線視断面図である。
【図４】この発明による免震装置の被覆構造の施工手順を示す工程図である。
【図５】この発明による免震装置の被覆構造を採用した建築構造物の正面図である。
【図６】この発明による免震装置の被覆構造を採用した建築構造物の縦断面図である。
【図７】この発明による免震装置の被覆構造を採用した建築構造物の横断面図である。
【符号の説明】
１    基礎（下部構造体）
１Ａ  下部柱
２    上部構造体
２Ａ  上部柱
３    免震装置
５    パネル
９Ｂ  付勢部材
１０    ガスケット（第１のガスケット）
１１    ガスケット（第２のガスケット）
１２    ガスケット（第３のガスケット）
Ｗ    開口部
【図１】
0003690446.tif 000002
【図２】
0003690446.tif 000003
【図３】
0003690446.tif 000004
【図４】
0003690446.tif 000005
【図５】
0003690446.tif 000006
【図６】
0003690446.tif 000007
【図７】
0003690446.tif 000008